(57)【要約】【課題】仮想空間に設けられたショッピングモール内でのユーザの操作性を向上させること。【解決手段】ユーザからの操作を受け付け当該操作を示す操作信号を入力する入力部と、表示部とを備えるタッチパネルと、仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を前記表示部に表示させる仮想空間表示制御部と、前記入力部から入力する前記仮想空間内におけるユーザの視点の移動を示す操作信号に基づき、当該ユーザの視点から見える前記ショッピングモールの情景に応じて前記商品画像において表示される前記商品を変更する仮想空間内商品管理部とを備えることを特徴とする。【選択図】図２
2012234355.tif 000002
【特許請求の範囲】
【請求項１】
ユーザからの操作を受け付け当該操作を示す操作信号を入力する入力部と、表示部とを備えるタッチパネルと、
仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を前記表示部に表示させる仮想空間表示制御部と、
前記入力部から入力する前記仮想空間内におけるユーザの視点の移動を示す操作信号に基づき、仮想空間内の前記ショッピングモール内の情景に応じて前記商品画像において表示される前記商品を変更する仮想空間内商品管理部と
を備えることを特徴とする仮想空間表示装置。
【請求項２】
前記入力部から入力する前記商品を指定する操作信号に基づき、当該指定された商品に関する商品情報を表示する商品情報表示画面を前記表示部に表示する商品情報表示制御部をさらに備えることを特徴とする請求項１に記載の仮想空間表示装置。
【請求項３】
前記入力部から入力する前記ストアを指定する操作信号に基づき、当該指定されたストアにおいて取り扱う商品に関する商品情報を表示するストア情報表示画面を前記表示部に表示するストア情報表示制御部をさらに備えることを特徴とする請求項１あるいは２に記載の仮想空間表示装置。
【請求項４】
前記入力部から入力する前記商品を購入商品候補として指定する操作信号に基づき、当該指定された商品をストック商品として管理するストック商品管理部をさらに備えることを特徴とする請求項１から３のいずれか一項に記載の仮想空間表示装置。
【請求項５】
ネットワークを介して接続される表示端末とサーバとを備える仮想空間表示システムであって、
ユーザからの操作を受け付け当該操作を示す操作信号を入力する入力部と、表示部とを備えるタッチパネルと、
仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を前記表示部に表示させる仮想空間表示制御部と、
前記入力部から入力する前記仮想空間内におけるユーザの視点の移動を示す操作信号に基づき、当該ユーザの視点から見える前記ショッピングモールの情景に応じて前記商品画像において表示される前記商品を変更する仮想空間内商品管理部と
を備えることを特徴とする仮想空間表示システム。
【請求項６】
コンピュータを、
ユーザからの操作を受け付け当該操作を示す操作信号を入力する入力手段、
仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を表示部に表示させる仮想空間表示制御手段
前記入力手段から入力する前記仮想空間内におけるユーザの視点の移動を示す操作信号に基づき、当該ユーザの視点から見える前記ショッピングモールの情景に応じて前記商品画像において表示される前記商品を変更する仮想空間内商品管理手段
として機能させるためのプログラム。
【発明の詳細な説明】
【技術分野】
【０００１】
本発明は、仮想空間表示装置、仮想空間表示システム、およびプログラムに関する。
【背景技術】
【０００２】
ネットワーク上に設けられた仮想空間上のショッピングモールにおいて、ユーザが端末を介して買い物を行うサービスがあり、このサービスはオンラインショッピングと呼ばれる。
オンラインショッピングについては、例えば、インターネット上に設けられたショッピングモール内のストアの利用状況（アクセス回数や頻度、取引回数やその量）に応じて、仮想空間上でのストアの表現を変更するものが知られている（特許文献１）。
また、一般的な端末装置は、その表示画面の大きさが決められているため、表示できる情報量が限られる。このため、ショッピングモール内に設置されているストアを紹介するためのページと、各ストアでの取扱商品を紹介するためのページとは、それぞれ別々に設けられることが多い。あるいは、いずれか一方を縮小して同じページに表示させる場合もある。
【先行技術文献】
【特許文献】
【０００３】
【特許文献１】特開平１０−２６９０４９号公報
【発明の概要】
【発明が解決しようとする課題】
【０００４】
実空間のショッピングモールでは、ユーザがショッピングモール内を歩きまわりながら、通路側からストアの中の様子を見て、気になるストアがあればその中に入って商品を見ることができる。
しかしながら、仮想空間上のショッピングモールでは、上述の通りショッピングモール内に設けられたストアを紹介するためのページと、各ストアでの取扱商品を紹介するためのページとが別々に設けられている場合、ストアや取扱商品を確認するたびに画面を切り替えなければならない。このため、実空間に近い感覚で仮想空間上のショッピングモールを利用することができず、ユーザの操作性が悪い問題があった。また、仮想空間上のショッピングモール内でのストアや取扱商品が膨大になった場合、その問題が顕著になり、ユーザの利用意欲が減退するおそれがあった。
【０００５】
そこで、本発明は上記従来技術の欠点に鑑みてなされたものであり、仮想空間に設けられたショッピングモール内でのユーザの操作性を向上させることができる仮想空間表示装置、仮想空間表示システム、およびプログラムを提供することにある。
【課題を解決するための手段】
【０００６】
この発明は上述した課題を解決するためになされたもので、本発明の一態様による仮想空間表示装置は、ユーザからの操作を受け付け当該操作を示す操作信号を入力する入力部と、表示部とを備えるタッチパネルと、仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を前記表示部に表示させる仮想空間表示制御部と、前記入力部から入力する前記仮想空間内におけるユーザの視点の移動を示す操作信号に基づき、仮想空間内の前記ショッピングモール内の情景に応じて前記商品画像において表示される前記商品を変更する仮想空間内商品管理部とを備えることを特徴とする。
【０００７】
また、上述の本発明の一態様による仮想空間表示装置は、前記入力部から入力する前記商品を指定する操作信号に基づき、当該指定された商品に関する商品情報を表示する商品情報表示画面を前記表示部に表示する商品情報表示制御部をさらに備えることを特徴とする。
【０００８】
また、上述の本発明の一態様による仮想空間表示装置は、前記入力部から入力する前記ストアを指定する操作信号に基づき、当該指定されたストアにおいて取り扱う商品に関する商品情報を表示するストア情報表示画面を前記表示部に表示するストア情報表示制御部をさらに備えることを特徴とする。
【０００９】
また、上述の本発明の一態様による仮想空間表示装置は、前記入力部から入力する前記商品を購入商品候補として指定する操作信号に基づき、当該指定された商品をストック商品として管理するストック商品管理部をさらに備えることを特徴とする。
【００１０】
この発明は上述した課題を解決するためになされたもので、本発明の一態様による仮想空間表示システムは、ネットワークを介して接続される表示端末とサーバとを備える仮想空間表示システムであって、ユーザからの操作を受け付け当該操作を示す操作信号を入力する入力部と、表示部とを備えるタッチパネルと、仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を前記表示部に表示させる仮想空間表示制御部と、前記入力部から入力する前記仮想空間内におけるユーザの視点の移動を示す操作信号に基づき、当該ユーザの視点から見える前記ショッピングモールの情景に応じて前記商品画像において表示される前記商品を変更する仮想空間内商品管理部と、を備えることを特徴とする仮想空間表示システム。
【００１１】
この発明は上述した課題を解決するためになされたもので、本発明の一態様によるプログラムは、コンピュータを、ユーザからの操作を受け付け当該操作を示す操作信号を入力する入力手段、仮想空間において立体的に表現されるショッピングモールを表示するショッピングモール画像データと、前記ショッピングモールに設けられる各ストアにおいて取り扱う商品を表示する商品画像データとに基づき、当該ストアで取り扱う前記商品の画像を前記ショッピングモール内のストアの店頭に配置した画像を表示部に表示させる仮想空間表示制御手段、前記入力手段から入力する前記仮想空間内におけるユーザの視点の移動を示す操作信号に基づき、当該ユーザの視点から見える前記ショッピングモールの情景に応じて前記商品画像において表示される前記商品を変更する仮想空間内商品管理手段、として機能させるためのプログラムであることを特徴とする。
【発明の効果】
【００１２】
本発明によれば、仮想空間に設けられたショッピングモール内でのユーザの操作性を向上させることができる。
【図面の簡単な説明】
【００１３】
【図１】本発明の一実施形態に係る仮想空間表示システム１の構成の一例を示す図である。
【図２】同実施形態における仮想空間上に設けられたショッピングモールの画像の一例を示す図である。
【図３】同実施形態における仮想空間上のショッピングモールを上方から見た状態を示す図である。
【図４】同実施形態に係る表示端末とサーバの各構成の一例を示す図である。
【図５】同実施形態に係る商品リストデータの一例を示す図である。
【図６】同実施形態に係る仮想空間表示制御部がモール画像を作成する処理の一例を説明するための図である。
【図７】同実施形態に係る画面の遷移状態を示す図である。
【図８】同実施形態に係るモール画面Ｓ１の一例を示す図である。
【図９】同実施形態に係るモール画面Ｓ１におけるユーザの操作と画面の変化について説明する図である。
【図１０】同実施形態に係るモール画面Ｓ１におけるユーザの操作による処理フローの一例を示すフローチャートである。
【図１１】同実施形態に係るモールストア移動画面Ｓ２の一例を示す図である。
【図１２】同実施形態に係るモールストア移動画面Ｓ２におけるユーザの操作と画面の変化について説明する図である。
【図１３】同実施形態に係るモールストア固定画面Ｓ３の一例を示す図である。
【図１４】同実施形態に係るモールストア固定画面Ｓ３におけるユーザの操作と画面の変化について説明する図である。
【図１５】同実施形態に係るストア画面Ｓ４の一例を示す図である。
【図１６】同実施形態に係るストア画面Ｓ４におけるユーザの操作と画面の変化について説明する図である。
【図１７】同実施形態に係る商品詳細画面Ｓ５の一例を示す図である。
【図１８】同実施形態に係る商品詳細画面Ｓ５におけるユーザの操作と画面の変化について説明する図である。
【図１９】同実施形態に係るストックエリアの一例を示す図である。
【図２０】同実施形態に係るストックエリアにおけるユーザの操作と画面の変化について説明する図である。
【図２１】同実施形態に係る案内板表示エリアの一例を示す図である。
【図２２】同実施形態に係る案内板表示エリアにおけるユーザの操作と画面の変化について説明する図である。
【発明を実施するための形態】
【００１４】
以下では、本発明の一実施形態について、図面を参照して詳細に説明する。
図１は、本発明の一実施形態に係る仮想空間表示システム１の構成の一例を示す図である。
図１に示す通り、仮想空間表示システム１は、表示端末１００とサーバ３００とを備える。この表示端末１００とサーバ３００とは、ネットワークＮＷを介して通信可能に接続されている。
この仮想空間表示システム１は、例えば、仮想空間内に設けられたショッピングモール内でユーザがオンラインショッピングを楽しめるようなサービスを提供する。仮想空間表示システム１は、仮想空間内で立体的に表現されるショッピングモールを表示端末１００に表示させる。ユーザは、この表示端末１００が表示する仮想空間内を移動してショッピングモール内に設けられたストアの取扱商品を見て、商品を購入することができる。このユーザの移動は、ユーザが表示端末１００を操作してユーザの視点の移動を指示することにより、画面がユーザの視点に応じて遷移することにより実現される。ユーザ視点の移動については、後で詳述する。
【００１５】
本実施形態に係る仮想空間表示システム１は、各ストアの店頭に取扱商品の画像を表示するとともに、ユーザの視点の移動に伴い、各ストアの店頭に表示される取扱商品の表示を変更する。例えば、ユーザの視点が多くのストアを見ている場合には、各ストアの店頭に配置される商品の数を少なくして、多くのストア数を確保する。一方、ユーザの視点が少数のストアを見ている場合には、各ストアの店頭に配置される商品の数を多くして、店頭に表示できる多くの商品数を確保する。
このように、ユーザの移動時に、各ストアの店頭に取扱商品の画像を表示する。また、ユーザの視点が変化して、特定のストアの方を見ている場合は、このストアの店頭に表示される取扱商品の数を増やす。これにより、ユーザは、実空間のショッピングモールにおけるウインドウショッピングに近い感覚で、仮想空間上のショッピングモールを回ることができる。これにより、ユーザの操作性が向上し、ストアへの顧客誘引につながる。
【００１６】
この仮想空間表示システム１は、例えば、図２に示すような仮想空間内に設けられたショッピングモール内の画像を表示端末１００に提供する。
図２は、仮想空間上に設けられたショッピングモールの画像の一例を示す図である。この仮想空間上に設けられたショッピングモールの画像は、主に、モール画面Ｓ１と、モールストア移動画面Ｓ２と、モールストア固定画面Ｓ３と、ストア画面Ｓ４とを遷移する。具体的には、モール画面Ｓ１とモールストア画面Ｓ２とストア画面Ｓ３との間で相互に遷移することができる。モールストア移動画面Ｓ２とモールストア固定画面Ｓ３とはその間で相互に遷移することができる。モールストア固定画面Ｓ３はストア画面Ｓ４に遷移することができる
【００１７】
モール画面Ｓ１は、表示端末１００を操作するユーザの視点から見えるショッピングモールの移動情景を表示するとともに、ユーザからの操作指示やユーザの視点の変化に応じて、モールストア移動画面Ｓ２あるいはストア画面Ｓ４に遷移する。このモール画面Ｓ１は、仮想空間上に設けられたショッピングモール内の情景と、このショッピングモール内に設けられた各ストアの店頭を表示する画面である。
図示のモール画面Ｓ１は、ユーザが通路の進行方向を向いている状態で見える当該ユーザの視点からの情景を表示する画像である。このモール画面Ｓ１は、ショッピングモールを遠近法により、または三次元の立体映像の表示により、立体的に表わすショッピングモール画像５０１と、ショッピングモール内に設けられた各ストアの紹介商品を表わす紹介商品画像５０２とを含む。ストア１には、ストア１商品Ａとストア１商品Ｂとが展示されている。ストア２には、ストア２商品Ａとストア２商品Ｂとが展示されている。
ショッピングモール画像５０１は、ショッピングモール内の通路、天井、各ストアの店舗、各ストアの店名を表わすストアの看板、その他、アーケード、噴水、イベントホール等のショッピングモールの内装や設備を仮想空間において立体的に表わす画像である。
紹介商品画像５０２（ストア１商品Ａ、ストア１商品Ｂ、ストア２商品Ａ、ストア２商品Ｂ、等）は、各ストアの取扱商品のうち、ショッピングモール内を回遊するユーザに対して各ストアの紹介をするための紹介商品を表わす画像である。この紹介商品は、モール画面Ｓ１において、各ストアの店頭に配置できる限られた数の商品であって、各ストアのお勧め商品や代表商品、最新商品等である。この紹介商品は、例えば、各ストアの出品者やショッピングモールの運営者等によって、予め決められている。この紹介商品画像５０２は、例えば、商品の縮小画像（サムネイル）である。この商品サムネイルは、仮想空間内を浮遊している状態で各ストアの店頭に表示される。
【００１８】
モールストア移動画面Ｓ２は、モール画面Ｓ１から遷移する画面であって、ショッピングモール内をユーザの視点が移動している際に当該ユーザから見える情景を表示する画面である。このモール移動画面は、ショッピングモール内を移動するユーザが、各ストアの店頭を向いている状態で見える当該ユーザの視点からの情景を表示する画像である。つまり、モールストア移動画面Ｓ２とモール画面Ｓ１とは、ユーザの視点の移動に応じて、連続的に遷移する画面であって、ユーザの視点が通路の進行方向からストア側に移動した際に、モール画面Ｓ１からモールストア移動画面Ｓ２に遷移する。なお、ユーザの視点がストアから通路の進行方向に移動した場合、モールストア移動画面Ｓ２からモール画面Ｓ１に遷移する。
このモールストア移動画面Ｓ２は、モール画面Ｓ１において各ストアの店頭に表示される紹介商品画像（商品サムネイル）５０２よりも詳細な取扱商品に関する情報を表示する。例えば、モールストア移動画面Ｓ２は、モール画面Ｓ１内に表示されている紹介商品の商品数よりも商品数が多い店頭陳列商品の商品サムネイル５０３を表示する。店頭陳列商品の商品サムネイルを、店頭陳列商品画像５０３という。この店頭陳列商品は、例えば、紹介商品に、本日の限定商品や、安売りのセール品等を追加した商品である。この店頭陳列商品も、例えば、各ストアの出品者やショッピングモールの運営者等によって、予め決められている。
【００１９】
モールストア固定画面Ｓ３は、モールストア移動画面Ｓ２から遷移する画面であって、ストアを見ているユーザの視点が停止した状態において当該ユーザから見える情景を表示する画面である。言い換えると、モールストア固定画面Ｓ３は、モールストア移動画面Ｓ２の一時停止状態を示す画面である。
【００２０】
ストア画面Ｓ４は、モール画面Ｓ１、モールストア移動画面Ｓ２、あるいは、モールストア固定画面Ｓ３から遷移する画面であって、モール画面Ｓ１において各ストアの店頭に表示される紹介商品画像（サムネイル）５０２およびモールストア移動画面Ｓ２（あるいはモールストア固定画面Ｓ３）において店頭に表示されている店頭陳列商品画像（サムネイル）５０３よりも詳細な取扱商品に関する情報を表示する画面である。このストア画面Ｓ４は、例えば、商品のカテゴリーに応じて予め区分されている商品区分ごとに、各ストアの取扱商品を表わす画面である。
なお、全ての画面には、共有して、画面の下方に、ストックエリアが表示されている。このストックエリアは、例えば、ユーザが購入する予定の商品として指定したストック商品(購入予定商品)として登録した商品を表示するエリアとして機能する。すなわち、ストックエリアの一機能とは、ユーザが購入を予定している商品を一時的に集めておくエリアであって、オンラインショッピングにおいて「買い物かご」と呼ばれるエリアである。このストックエリアに集められたストック商品は、ユーザが決済をする前の商品であり、ユーザは、ストック商品についての決済処理を行うことで当該商品を購入することができる。
また、ストックエリアは、上記機能に限られず、例えば、以下のような機能を有する。例えば、ストックエリアは、ユーザが購入予定ではなく、単に、ユーザが比較するための商品やお気に入りの商品を取っておくための「一時置場」として利用することができる。また、ストックエリアは、ユーザが購入した「履歴」や、「商品検索結果」を表示するなど、ストアやショッピングモール内を横断して、さまざまな拡張機能（サービス）を利用可能にするエリアとしても利用可能である。「履歴」や、「商品検索結果」を表示するためのアイコンをストックエリア内に表示してもよい。
【００２１】
次に、図３を参照して、モール画面Ｓ１とモールストア移動画面Ｓ２との遷移の条件について説明する。図３は、ショッピングモールを上方から見た状態を示す図である。なお、この図３に示す画像は、後に説明する案内板表示エリアの画像に相当するものである。
図３（ａ）に示す通り、仮想空間におけるショッピングモールには、例えば、通路の両脇に複数のストアが設けられている。この通路には、ユーザの現在位置と視点（見ている方向）を示すユーザーアイコンＩｕが表示されている。この通路の進行方向は、矢印Ｘ方向である。
この仮想空間におけるショッピングモールには、通路とストアの位置関係に応じて、モール画面Ｓ１を表示すると判定されるモール画面判定エリア７０１と、モールストア移動画面Ｓ２あるいはモールストア固定画面Ｓ３を表示すると判定されるモールストア画面判定エリア７０２とが予め決められている。本実施形態において、モール画面判定エリア７０１は、通路進行方向である直線Ｘを０度とした場合、この直線Ｘから±４５度の範囲である。一方、モールストア画面判定エリア７０２は、このモール画面判定エリア７０１以外の横方向のエリアである。
【００２２】
つまり、本実施形態において、図示の通り、破線で示すモール画面判定エリア７０１とモールストア画面判定エリア７０２との分割線が、モール画面Ｓ１とモールストア移動画面Ｓ２とが遷移する際の判定閾値、あるいは、モール画面Ｓ１とモールストア固定画面Ｓ３とが遷移する際の判定閾値である。なお、モール画面Ｓ１が、モールストア移動画面Ｓ２に遷移するか、あるいは、モールストア固定画面Ｓ３に遷移するかの判定条件は、予め決められたユーザの操作内容である。
例えば、ドラッグ操作によりユーザーアイコンが示すユーザの視点がこの分割線を越えた場合、画面が、モール画面Ｓ１からモールストア移動画面Ｓ２、あるいは、モールストア移動画面Ｓ２からモール画面Ｓ１に遷移する。
また、弱フリック操作によりユーザーアイコンが示すユーザの視点がこの分割線を越えた場合、画面が、モール画面Ｓ１からモールストア固定画面Ｓ３、あるいは、モールストア固定画面Ｓ３からモール画面Ｓ１に遷移する。
【００２３】
また、本実施形態において、破線で示すモール画面判定エリア７０１とモールストア画面判定エリア７０２との分割線は、モール画面Ｓ１とストア画面Ｓ４とが遷移する際の判定閾値でもある。なお、モール画面Ｓ１が、モールストア移動画面Ｓ２に遷移するか、モールストア固定画面Ｓ３に遷移するか、あるいは、ストア画面Ｓ４に遷移するかの判定条件は、予め決められたユーザの操作内容である。
例えば、強フリック操作によりユーザーアイコンが示すユーザの視点がこの分割線を越えた場合、画面が、モール画面Ｓ１からストア画面Ｓ４、あるいは、ストア画面Ｓ４からモール画面Ｓ１に遷移する。
なお、弱フリックと強フリックとは、ユーザのフリック操作の速さや強さが異なる操作である。例えば、ユーザのフリック操作の指の動きが予め決められた速さよりも早く、あるいは、予め決められた圧力よりも強い圧力が加えられた場合、画面遷移管理部１３０は、強フリックを受け付けたことを判定する。
【００２４】
例えば、図３（ａ）に示すように、ユーザの視点がモール画面判定エリア７０１内ある状態から、図３（ｂ）に示すように、ユーザの視点がモールストア画面判定エリア７０２内に移動した場合、画面は、モール画面Ｓ１からモールストア移動画面Ｓ２に移動する。このとき、モールストア移動画面Ｓ２は、ユーザの右手にあるストアを表示する。
また、図３（ａ）に示すように、ユーザの視点がモール画面判定エリア７０１内ある状態から、図３（ｃ）に示すように、ユーザの視点がモールストア画面判定エリア７０２内に移動した場合、画面は、モール画面Ｓ１からモールストア移動画面Ｓ２に移動する。このとき、モールストア移動画面は、ユーザの左手にあるストアを表示する。
【００２５】
次に、図４を参照して、表示端末１００とサーバ３００の各構成の一例について説明する。図４は、本実施形態に係る表示端末１００とサーバ３００の各構成の一例を示す図である。
サーバ３００は、サーバ通信部３０１と、サーバ制御部３０２と、サーバ記憶部３０３とを備える。サーバ記憶部３０３は、仮想空間表示データ記憶領域３０４と、商品リストデータ記憶領域３０５とを備える。
サーバ通信部３０１は、表示端末１００から仮想空間の表示を要求する情報を受信して、サーバ制御部３０２に出力する。また、サーバ通信部３０１は、サーバ制御部３０２から出力された情報を表示端末１００に送信する。
サーバ制御部３０２は、表示端末１００からの仮想空間の表示を要求する情報に基づき、サーバ記憶部３０２から情報を取り出し、サーバ通信部３０１に出力する。
【００２６】
サーバ記憶部３０３は、上述のオンラインショッピングのための仮想空間内に設けられたショッピングモールの画像と、当該ユーザのオンラインショッピングの操作画面とを表示端末１００に提供するための仮想空間表示データを保存する仮想空間表示データ記憶領域３０４を備える。この仮想空間表示データは、例えば、モール画面Ｓ１、モールストア移動画面Ｓ２、モールストア固定画面Ｓ３、ストア画面Ｓ４、およびストックエリアを表示端末１００に表示するためのデータである。
また、サーバ記憶部３０３は、各画面に表示する取扱商品として予め決められている商品を示す商品リストデータを保存する商品リストデータ記憶領域３０５を備える。この商品リストデータの一例を、図５に示す。
【００２７】
図５に示す通り、商品リストデータは、モール画面Ｓ１商品リストデータ(図５(ａ)参照)、モールストア画面商品リストデータ(図５（ｂ）参照)、ストア画面商品リストデータ(図５（ｃ）参照)、および、商品詳細画面商品リストデータ(図５（ｄ）参照)を含む。
図５(ａ)に示すモール画面商品リストデータは、モール画面Ｓ１に表示する取扱商品として予め決められている紹介商品（商品Ａ〜Ｃ）を対応付けるデータである。
図５（ｂ）に示すモールストア画面商品リストデータは、モールストア移動画面Ｓ２に表示する取扱商品として予め決められている店頭陳列商品（商品Ａ〜Ｅ）を対応付けるデータである。
図５（ｃ）に示すストア画面商品リストデータは、ストア画面Ｓ４に表示する取扱商品として予め決められている商品Ａ〜Ｊを対応付けるデータである。本実施形態において、ストア画面商品リストデータは、当該商品の取扱商品の全てを対応付ける。
図５（ｄ）に示す商品詳細画面商品リストデータは、各取扱商品についての詳細情報を示す商品詳細画面Ｓ５（図示せず）に表示する取扱商品として予め決められている商品Ａ〜Ｊを対応付けるデータである。
【００２８】
図４に戻って、表示端末１００は、端末通信部１０１と、タッチパネル１０２と、操作表示制御部１０３と、端末記憶部１０４とを備える。この表示装置１００は、ネットワークを介してサーバ３００と接続されており、例えば、サーバ３００からダウンロードしたコンテンツをタッチパネル１０２に表示させる。なお、コンテンツとは、例えば、ユーザによって閲覧されるＷｅｂページであって、表示装置１００によって表示可能なファイルデータである。本実施形態において、表示端末１００は、上述した仮想空間において立体的に表現されるショッピングモールを提供するアプリケーションを予めサーバ３００からダウンロードしておき、このアプリケーションを実行するものである。このように、表示装置１００は、自身が保持するアプリケーションを実行することにより、ネットワーク介してＷｅｂページを提供する方法に比べてレスポンスが早く快適になるため、ユーザの操作性も向上させることができる。
【００２９】
なお、本実施形態において、表示装置１００は、サーバ３００からダウンロードしたコンテンツを表示させる例について以下説明するが、本発明はこれに限定されず、内蔵する記憶部、例えば端末記憶部１０４にコンテンツを予め保存しておき、この端末記憶部１０４から読み出したコンテンツを表示させるものであってもよい。
【００３０】
端末通信部１０１は、ネットワークを介してサーバ３００と接続し、サーバ３００からコンテンツに関するコンテンツ情報をダウンロードし、操作表示制御部１０３に出力する。また、端末通信部１０１は、タッチパネル１０２から出力される情報をサーバ３００に送信する。
タッチパネル１０２は、例えば液晶ディスプレイである表示部１２１と、この表示部１２１の表示画面を操作するユーザからの操作指示を受け付け、この操作指示を示す操作情報を出力する入力部１２２とを含む。
このタッチパネル１０２は、仮想的に決められるユーザの視点からの画像を表示部１２１に表示するとともに、入力部１２２から入力するユーザの操作に基づき、ユーザの視点の変化を示す情報を出力する。
【００３１】
操作表示制御部１０３は、画面遷移管理部１３０と、仮想空間表示制御部１３１と、仮想空間内商品管理部１３２と、ストア情報表示制御部１３３と、商品情報表示制御部１３４と、ストック商品管理部１３５とを備える。
【００３２】
画面遷移管理部１３０は、画面を遷移させるための条件判定を行い、遷移させると判定した場合、表示部１２１に表示されている画面を遷移する。
この画面遷移管理部１３０は、タッチパネル１０２の入力部１２２から入力されるユーザの視点の変化を示す情報に基づき、図３に示した分割線を越えたか否かを判定する。ユーザの視点が分割線を越えてモール画面判定エリア７０１からモールストア画面判定エリア７０２に入った場合、画面遷移管理部１３０は、モール画面Ｓ１からモールストア移動画面Ｓ２に遷移させるための条件を満たしたことを判定する。そして、画面遷移管理部１３０は、仮想空間表示制御部１３１および仮想空間内商品管理部１３２に対して、モール画面表示処理を実行するよう指示する。
一方、ユーザの視点が分割線を越えてモールストア画面判定エリア７０２からモール画面判定エリア７０１に入った場合、画面遷移管理部１３０は、モールストア移動画面Ｓ２からモール画面Ｓ１に遷移させるための条件を満たしたことを判定する。そして、画面遷移管理部１３０は、仮想空間表示制御部１３１および仮想空間内商品管理部１３２に対して、モールストア移動画面表示処理を実行するよう指示する。
【００３３】
また、画面遷移管理部１３０は、画面を遷移させる指示を示す操作情報をタッチパネル１０２から入力した場合、表示部１２１に表示されている画面を指示された画面に遷移させる。
例えば、タッチパネル１０２からモールストア固定画面Ｓ３への遷移を指示する操作情報を入力した場合、画面遷移管理部１３０は、仮想空間表示制御部１３１および仮想空間内商品管理部１３２に対して、モールストア固定画面表示処理を実行するよう指示する指示信号を出力する。
さらに、タッチパネル１０２からストア画面Ｓ４への遷移を指示する操作情報を入力した場合、画面遷移管理部１３０は、仮想空間表示制御部１３１および仮想空間内商品管理部１３２に対して、ストア画面表示処理を実行するよう指示する指示信号を出力する。
【００３４】
仮想空間表示制御部１３１は、サーバ３００から受信する仮想空間表示データおよび商品リストデータに基づき、モール画面Ｓ１、モールストア移動画面Ｓ２、および、モールストア固定画面Ｓ３を表わす仮想空間上の立体画像を表示部１２１に表示させる。この仮想空間表示制御部１３１は、例えば、仮想空間において立体的に表現されるショッピングモールを表示するショッピングモール画像と、ショッピングモールに設けられる各ストアの取扱商品を表わす商品サムネイルとに基づき、ショッピングモール内のストアの店頭に当該ストアで取り扱う商品の商品サムネイルを表示する画面を表示部１２１に表示させる。
仮想空間表示制御部１３１は、モール画面Ｓ１を表示するモール画面表示処理においては、仮想空間内商品管理部１３２によって決定される紹介商品の商品サムネイルを当該ストアの店頭に浮遊する状態で表示させる。また、仮想空間表示制御部１３１は、モールストア移動画面Ｓ２あるいはモールストア固定画面Ｓ３を表示するモールストア画面表示処理においては、仮想空間内商品管理部１３２によって決定される店頭陳列商品の商品サムネイルを当該ストアの店頭のウインドウに貼り付けた状態で表示させる。
【００３５】
仮想空間内商品管理部１３２は、画面遷移管理部１３０から入力する指示信号に基づき、サーバ３００から受信する商品リストデータを参照して、指示された表示処理を実行する対象画面（例えば、モール画面Ｓ１等）に対応する商品を判定する。仮想空間内商品管理部１３２は、判定結果に基づき、表示処理を実行する対象画面に対応する商品の商品サムネイルを表示するよう仮想空間表示制御部１３１に指示する指示信号を出力する。
例えば、画面遷移管理部１３０からモール画面表示処理の実行を指示する指示信号が入力された場合、仮想空間内商品管理部１３２は、商品リストデータから、モール画面商品リストデータとして対応付けられている紹介商品（商品Ａ〜Ｃ）を示す情報を読み出す。そして、仮想空間内商品管理部１３２は、この紹介商品（商品Ａ〜Ｃ）を示す情報を仮想空間表示制御部１３１に出力する。
【００３６】
ストア情報表示制御部１３３は、タッチパネル１０２から入力するストア詳細情報の表示を要求する操作信号に基づき、商品リストデータから、ストア画面商品リストデータとして対応付けられているストア取扱商品（商品Ａ〜Ｊ）を示す情報を読み出す。そして、ストア情報表示制御部１３３は、この取扱商品（商品Ａ〜Ｊ）を表示するストア画面を表示部１２１に表示させる。このストア情報表示制御部１３３がストア画面を表示させる処理をストア画面表示処理という。
【００３７】
商品情報表示制御部１３４は、タッチパネル１０２から入力する商品詳細情報の表示を要求する操作信号に基づき、商品リストデータから商品詳細情報を読み出し、この商品詳細情報を表示する商品詳細画面を表示部１２１に表示させる。この商品情報表示制御部１３４が商品詳細画面を表示させる処理を、商品詳細画面表示処理と言う。
【００３８】
ストック商品管理部１３５は、仮想空間表示データに基づき、各画面にストックエリアを表示させる。このストック商品管理部１３５は、タッチパネル１０２から入力する商品を購入商品候補（ストック商品）として指定する操作信号に基づき、当該指定された商品をストックエリアに表示させるとともに、当該指示される商品をストック商品として登録するストック商品登録処理を実行する。このストック商品管理部１３５は、例えば、端末記憶部１０４のストック商品リストデータに、登録するストック商品の商品情報（例えば、商品名あるいは商品番号）を書き込む。このストック商品管理部１３５がストック商品の表示を制御するとともに、登録を管理する処理をストック商品管理処理という。
また、ストック商品管理部１３５は、タッチパネル１０２から購入商品候補（ストック商品）を解除することを指示する操作情報を入力した場合、この操作情報に基づき、当該解除が指示された商品をストックエリアの表示から削除するとともに、当該解除が指示された商品をストック商品から解除するストック商品解除処理を実行する。
なお、このストック商品登録処理とストック商品解除処理とを合わせて、ストック商品管理処理という。
【００３９】
次に、図６を参照して、仮想空間表示制御部１３１の処理の一例について説明する。図６は、仮想空間表示制御部１３１がモール画像Ｓ１を作成する処理の一例を説明するための図である。
図６（ａ）は、三次元の仮想空間において立体的に表現されるショッピングモールを表示するショッピングモール画像の一例を示す。図示の通り、ショッピングモール画像には、仮想空間において立体的に表現されるショッピングモールの画像を表示する画像である。このショッピングモール画像は、ユーザの視点から見えるショッピングモールの情景を表わしている。図示の例では、画面中央にまっすぐな歩道が伸びている。この歩道の両側には、複数のストアが並んでいる。この歩道の画面左側にストア１が、そのストア１の奥手にストア３がある。一方、歩道の画面右側にストア２が、そのストア２の奥手にストア４がある。
【００４０】
図６（ｂ）は、ショッピングモールに設けられる各ストアの紹介商品を表わす商品画像（商品サムネイル）を、三次元の仮想空間上の各ストアの店頭に浮遊した状態で表示するための商品貼付画像の一例を示す。図示の通り、商品貼付画像には、各ストア１〜４において取り扱われている商品に関する商品情報が表示されている。商品貼付画像に表示されているストア１の取扱商品は、ストア１商品Ａ、ストア１商品Ｂ、およびストア１商品Ｃである。一方、商品貼付画像に表示されているストア２の取扱商品は、ストア２商品Ａ、ストア２商品Ｂ、およびストア２商品Ｃである。この商品貼付画像は、三次元の仮想空間上に配置されるオブジェクトとして紹介商品の商品サムネイルが描画された画像である。
仮想空間表示制御部１３１は、仮想空間内商品管理部１３２から入力する商品リストデータから読み出した商品を示す情報に基づき、図６（ｂ）に示す商品貼付画像５０４を作成する。この商品貼付画像とは、紹介商品画像（商品サムネイル）５０２を該当するストアの店頭に浮遊した状態で表示するための画像である。
そして、仮想空間表示制御部１３１は、ショッピングモール画像５０１(図６(ａ)参照)と商品貼付画像５０４(図６（ｂ）)とを合成する画像合成処理を実行して、図６（ｃ）に示すようなモール画面Ｓ１を作成する。なお、仮想空間表示制御部１３１による画像合成処理は、三次元の仮想空間において立体的に表現されるショッピングモール内の各ストアの店頭に立体的に描画された商品サムネイルを配置する三次元画像を作成する処理をいう。
【００４１】
次にユーザ操作に応じて変化する画面の一例について説明する。
図７は、画面の遷移状態を示す図である。この図面の遷移について、画面ごとに、以下説明する。なお、図７に示す遷移状態は、図８〜２２を参照して以下に説明する遷移状態の一覧であり、詳細な説明は省略する。
ここで、画面に対して与えられる操作について説明する。
タップ操作とは、ユーザが、タッチパネル１０２の画面に指を接触させて移動させずにそのまま指をディスプレイ１２１の画面から離す動作である。これは、マウス操作での左クリックに相当する。入力部１２２は、例えば、一箇所の検出点を検出することにより、当該操作がタッチ操作であると判定する。ロングタップ操作とは、タップ時間（指の接触時間）が一定時間以上である操作をいう。
ドラッグ操作とは、ユーザが、タッチパネル１０２の画面に指を接触させたまま移動させる動作である。入力部１２２は、最初にタッチパネル１０２の画面に接触したときの検出点と、移動時における検出点とを検出することにより、当該操作がドラッグ操作であると判定する。
【００４２】
フリック操作とは、ユーザが、タッチパネル１０２の画面を素早く払うように指を動かす動作、あるいは、指を接触させている状態から画面を素早く払うように指を動かす動作である。このフリック操作は、ユーザが予め決められた下限強さ（圧力）よりも弱い強さで画面を払った場合は弱フリック操作、ユーザが予め決められた上限強さ（圧力）よりも強い強さで画面を払った場合は強フリック操作に区分される。
ピンチイン操作／ピンチアウト操作とは、例えば、ユーザの２本の指でタッチした２点の距離に応じて、表示されている画像を拡大／縮小する動作である。例えば、ピンチイン操作では、２点の距離が長くなくなるように操作し、これにより、表示されている画像を拡大する。一方、ピンチアウト操作では、２点の距離が短くなくなるように操作し、これにより、表示されている画像を縮小する。
【００４３】
次に、図８〜１０を参照して、モール画面Ｓ１におけるユーザの操作と画面の変化について説明する。図８は、モール画面Ｓ１の一例を示す図である。図９は、モール画面Ｓ１におけるユーザ操作について説明するための図である。
図８に示す通り、モール画面Ｓ１には、紹介商品のサムネイルが、仮想空間内を浮遊している状態で各ストアの店頭に表示される。なお、各紹介商品のサムネイルは、モール画面Ｓ１が表示された際に、各ストアから出てくるアニメーションで表示されるものであってもよい。一方、たとえば、モールストア移動画面Ｓ２からモール画面Ｓ１に遷移した場合、モールストア移動画面Ｓ２において表示されていた商品のサムネイルは、モール画面Ｓ１に遷移した際に、各ストアに戻っていくアニメーションで表示されるものであってもよい。
モール画面Ｓ１におけるユーザの操作としては、ユーザ操作Ａｃｔ１１〜Ａｃｔ１９がある。
ユーザ操作Ａｃｔ１１は、モール画面Ｓ１においてユーザが左右にドラッグする操作である。このユーザ操作Ａｃｔ１１をタッチパネル１０２が受け付けた場合、操作表示制御部１０３は、ユーザ視点から見えるショッピングモール内の情景を左右に回転させる。ユーザの視点（向いている方向）が、モール画面判定エリア７０１からモールストア画面判定エリア７０２に移動した場合、操作表示制御部１０３は、モール画面Ｓ１からモールストア移動画面Ｓ２に遷移する。
ユーザ操作Ａｃｔ１２は、モール画面Ｓ１においてユーザが左右に弱フリックする操作である。このユーザ操作Ａｃｔ１２をタッチパネル１０２が受け付けた場合、操作表示制御部１０３は、ユーザ視点から見えるショッピングモール内の情景を左右に回転させるとともに、回転を徐々に止めるようなアニメーションを表示させる。ユーザの視点（向いている方向）が、モール画面判定エリア７０１からモールストア画面判定エリア７０２に移動した場合、操作表示制御部１０３は、モール画面Ｓ１からモールストア移動画面Ｓ２に遷移する。
【００４４】
ユーザ操作Ａｃｔ１３は、モール画面Ｓ１においてユーザが左右に強フリックする操作である。このユーザ操作Ａｃｔ１３をタッチパネル１０２が受け付けた場合、操作表示制御部１０３は、ユーザの視点（向いている方向）がモール画面判定エリア７０１からモールストア画面判定エリア７０２に移動するように、当該ユーザ視点から見えるショッピングモール内の情景を左右に回転させる。そして、操作表示制御部１０３は、モール画面Ｓ１からストア移動画面Ｓ３に遷移させる。
ユーザ操作Ａｃｔ１４は、モール画面Ｓ１におけるユーザが上下にドラッグあるいは上下にフリックする操作である。このユーザ操作Ａｃｔ１４をタッチパネル１０２が受け付けた場合、操作表示制御部１０３は、ユーザ視点から見えるショッピングモール内の情景を上下に回転させる。例えば、操作表示制御部１０３は、図８に示すモール画面Ｓ１の状態で下フリック（地面を蹴って前に歩くイメージ）の操作が加えられると、ユーザの視点は前方に進み、ストア３，４が手前に表示されます。このとき、操作表示制御部１０３は、ストア１、２と各ストアの紹介商品のサムネイルは手前に向かって消えていくとともに、ストア３，４と各ストアの紹介商品は奥から出てくるアニメーションを表示する表示処理を実行します。
ユーザ操作Ａｃｔ１５は、モール画面Ｓ１における商品サムネイルをユーザがタップする操作である。このユーザ操作Ａｃｔ１５をタッチパネル１０２が受け付けた場合、操作表示制御部１０３は、タップされた商品サムネイルの商品の詳細情報を示す商品詳細画面に遷移する。
【００４５】
ユーザ操作Ａｃｔ１６は、モール画面Ｓ１における商品サムネイルをユーザがロングタップする操作である。このユーザ操作Ａｃｔ１６をタッチパネル１０２が受け付けた場合、操作表示制御部１０３は、ロングタップされた商品サムネイルの商品をストックエリアに移動可能な状態する。例えば、移動可能となったことを示すため、当該商品のサムネイルを強調表示することができる。強調表示としては、特定の濃度や色の変化パターンを付与することができる。
ユーザ操作Ａｃｔ１７は、モール画面Ｓ１における移動可能な状態となっている商品サムネイルをユーザがストックエリア内にドラッグする操作である。このユーザ操作Ａｃｔ１７をタッチパネル１０２が受け付けた場合、操作表示制御部１０３は、ドラッグされた商品サムネイルの商品をストックエリアに移動する。これにより、操作表示制御部１０３は、ストックエリアに移動した商品をストック商品として管理する。
【００４６】
ユーザ操作Ａｃｔ１８は、モール画面Ｓ１におけるストア看板画像をユーザがタップする操作である。このユーザ操作Ａｃｔ１８をタッチパネル１０２が受け付けた場合、操作表示制御部１０３は、タップされたストア看板画像のストアの詳細情報を示すストア画面Ｓ４に遷移する。
ユーザ操作Ａｃｔ１９は、モール画面Ｓ１における広告看板画像をユーザがタップする操作である。このユーザ操作Ａｃｔ１９をタッチパネル１０２が受け付けた場合、操作表示制御部１０３は、タップされた広告看板画像の広告として掲載されているストアの詳細情報を示すストア画面Ｓ４に遷移する。また、広告として商品が掲載されている場合、当該商品の詳細情報を示す商品詳細画面Ｓ５に遷移する。
【００４７】
次に、図１０を参照して、モール画面Ｓ１におけるユーザの操作と操作表示制御部１０３の処理フローについて説明する。図１０は、モール画面Ｓ１におけるユーザの操作による処理フローの一例を示すフローチャートである。
（ステップＳＴ１０１）
操作表示制御部１０３の仮想空間表示制御部１３１は、モール画面表示処理を実行する。例えば、仮想空間表示制御部１３１は、モール画面商品リストデータを参照して仮想空間内商品管理部１３２により決定される紹介商品の商品サムネイルを当該ストアの店頭に浮遊する状態で表示させる。
（ステップＳＴ１１１）
画面遷移管理部１３０は、ユーザ操作により、ユーザの視点が、モール画面判定エリア７０１からモールストア画面判定エリア７０２に移動したか否かを判定する。
【００４８】
（ステップＳＴ１１２）
ユーザの視点がモール画面判定エリア７０１からモールストア画面判定エリア７０２に移動するユーザ操作が入力されたことを判定した場合、画面遷移管理部１３０は、当該ユーザ操作が、ドラッグであったか、弱フリックであった、あるいは、強いフリックであったか否かを判定する。
（ステップＳＴ１１３）
ユーザ操作がドラッグであった場合、あるいは、弱フリックであった場合、画面遷移管理部１３０は、モールストア画像表示処理を実行する。
ユーザ操作がドラッグであった場合、つまり、ユーザ操作Ａｃｔ１１が入力された場合、画面遷移管理部１３０は、仮想空間表示制御部１３１および仮想空間内商品管理部１３２に対して、モールストア移動画面表示処理を実行するよう指示する指示信号を出力する。そして、仮想空間表示制御部１３１は、モールストア画面商品リストを参照して仮想空間内商品管理部１３２により決定される店頭陳列商品の商品サムネイルを当該ストアの店頭のウインドウに貼り付けた状態で表示部１２１に表示させる。
また、ユーザ操作が弱フリックであった場合、つまり、ユーザ操作Ａｃｔ１２が入力された場合、画面遷移管理部１３０は、仮想空間表示制御部１３１および仮想空間内商品管理部１３２に対して、モールストア固定画面表示処理を実行するよう指示する指示信号を出力する。そして、仮想空間表示制御部１３１は、モールストア画面商品リストを参照して仮想空間内商品管理部１３２により決定される店頭陳列商品の商品サムネイルを当該ストアの店頭のウインドウに貼り付けた状態で表示部１２１に表示させるとともに、モールストア移動画面Ｓ２からモールストア固定画面Ｓ３に遷移させる。
【００４９】
（ステップＳＴ１１４）
一方、ユーザ操作が強フリックであった場合、画面遷移管理部１３０は、ストア画像表示処理を実行する。
ユーザ操作が強フリックであった場合、つまり、ユーザ操作Ａｃｔ１３が入力された場合、画面遷移管理部１３０は、強フリックされた方向に設けられているストアのストア画面を表示するように、ストア情報表示制御部１３３に対して、ストア画面表示処理を実行するよう指示する指示信号を出力する。
ストア情報表示制御部１３３は、商品リストデータから、強フリックされた方向に設けられたストアのストア画面商品リストデータとして対応付けられているストア取扱商品を示す情報を読み出す。そして、ストア情報表示制御部１３３は、この読み出した取扱商品を表示するストア画面を表示部１２１に表示させる。
【００５０】
（ステップＳＴ１２１）
商品情報表示制御部１３４は、ユーザ操作により、商品サムネイルをタップする指示を受け付けたか否かを判定する。
（ステップＳＴ１２２）
ユーザがモール画面Ｓ１における商品サムネイルをタップする操作、つまり、ユーザ操作Ａｃｔ１５をタッチパネル１０２が受け付けた場合、商品情報表示制御部１３４は、商品詳細画面表示処理を実行する。つまり、商品情報表示制御部１３４は、タップされた商品サムネイルの商品の詳細情報を示す商品詳細画面に遷移させる。
【００５１】
（ステップＳＴ１３１）
ストック商品管理部１３５は、ユーザ操作により、モール画面Ｓ１における商品サムネイルをユーザがロングタップされたか否かを判定する。ユーザが、モール画面Ｓ１における商品サムネイルをロングタップする操作、つまり、ユーザ操作Ａｃｔ１６をタッチパネル１０２が受け付けた場合、ストック商品管理部１３５は、ロングタップされた商品サムネイルの商品をストックエリアに移動可能な状態する。
次いで、ストック商品管理部１３５は、モール画面Ｓ１における移動可能な状態となっている商品サムネイルをユーザがストックエリア内にドラッグしたか否かを判定する。
（ステップＳＴ１３２）
ユーザが、モール画面Ｓ１における移動可能な状態となっている商品サムネイルをストックエリア内にドラッグする操作、つまり、ユーザ操作Ａｃｔ１７をタッチパネル１０２が受け付けた場合、ストック商品管理部１３５は、ストック商品登録処理を実行する。つまり、ストック商品管理部１３５は、ドラッグされた商品サムネイルの商品をストックエリアに移動させるとともに、ストックエリアに移動した商品をストック商品として管理する。
【００５２】
（ステップＳＴ１４１）
ストア情報表示制御部１３３は、ユーザ操作により、ストア看板画像をタップする指示を受け付けたか否かを判定する。
（ステップＳＴ１４２）
ユーザがモール画面Ｓ１におけるストア看板画像をタップする操作、つまり、ユーザ操作Ａｃｔ１８をタッチパネル１０２が受け付けた場合、ストア情報表示制御部１３３は、ストア画面表示処理を実行する。つまり、ストア情報表示制御部１３３は、タップされたストア看板画像のストアの詳細情報を示すストア画面Ｓ４に遷移させる。
【００５３】
（ステップＳＴ１５１）
ストア情報表示制御部１３３は、ユーザ操作により、広告としてストアが掲載されている広告看板画像をタップする指示を受け付けたか否かを判定する。また、商品情報表示制御部１３４は、ユーザ操作により、広告として商品が掲載されている広告看板画像をタップする指示を受け付けたか否かを判定する。
（ステップＳＴ１５２）
ユーザがモール画面Ｓ１における広告としてストアが掲載されている広告看板画像をタップする操作、つまり、ユーザ操作Ａｃｔ１９をタッチパネル１０２が受け付けた場合、ストア情報表示制御部１３３は、ストア画面表示処理を実行する。つまり、ストア情報表示制御部１３３は、タップされた広告看板画像に掲載されているストアの詳細情報を示すストア画面Ｓ４に遷移させる。
一方、ユーザがモール画面Ｓ１における広告として商品が掲載されている広告看板画像をタップする操作、つまり、ユーザ操作Ａｃｔ１９をタッチパネル１０２が受け付けた場合、商品情報表示制御部１３４は、商品詳細画面表示処理を実行する。つまり、商品情報表示制御部１３４は、タップされた広告看板画像に掲載されている商品の詳細情報を示す商品詳細画面に遷移させる。
なお、図１１〜２２を参照して以下に説明する画面におけるユーザ操作の処理フローについての説明は省略する。
【００５４】
次に、図１１、１２を参照して、モールストア移動画面Ｓ２におけるユーザの操作と画面の変化について説明する。図１１は、モールストア移動画面Ｓ２の一例を示す図である。図１２は、モールストア移動画面Ｓ２におけるユーザ操作について説明するための図である。
モールストア移動画面Ｓ２におけるユーザの操作としては、ユーザ操作Ａｃｔ２１〜Ａｃｔ２３がある。
ユーザ操作Ａｃｔ２１は、モールストア移動画面Ｓ２におけるユーザの左右のドラッグ操作である。このユーザ操作Ａｃｔ２１をタッチパネル１０２が受け付けた場合、操作表示制御部１０３は、ユーザ視点から見えるショッピングモール内の情景を左右に回転させる。ユーザの視点を中心として、ユーザの進行方向から左右方向に予め決められている角度以上、視界を回転する指示が左右ドラッグとして入力された場合、モール画面Ｓ１からモールストア移動画面Ｓ２に遷移する。
ユーザ操作Ａｃｔ２２は、ユーザ操作Ａｃｔ２１の後に連続して発生する操作であって、モールストア移動画面Ｓ２におけるユーザのタップアップ操作、あるいは、左右の弱フリック操作である。このユーザ操作Ａｃｔ２２をタッチパネル１０２が受け付けた場合、操作表示制御部１０３は、ユーザの視点を固定する。つまり、ユーザ操作Ａｃｔ２１において、ドラッグ操作後の画面がモールストア移動画面Ｓ２である場合、ユーザ操作Ａｃｔ２２により、モールストア移動画面Ｓ２からモールストア固定画面Ｓ３に遷移する。一方、ユーザ操作Ａｃｔ２１において、ドラッグ操作後の画面がモール画面Ｓ１である場合、ユーザ操作Ａｃｔ２２により、モール画面Ｓ１に固定される。
【００５５】
ユーザ操作Ａｃｔ２３は、モールストア移動画面Ｓ２におけるユーザの左右の強フリック操作である。このユーザ操作Ａｃｔ２３をタッチパネル１０２が受け付けた場合、操作表示制御部１０３は、モールストア移動画面Ｓ２の画面内容に応じて予め決められている画面に遷移する。例えば、図示の通り、ユーザの進行方向の左側のストアを表示するモールストア移動画面Ｓ２において、左側に強いフリック操作が与えられた場合、操作表示制御部１０３は、モールストア移動画面Ｓ２からストア画面Ｓ４に遷移する。一方、右側に強いフリック操作が与えられた場合、操作表示制御部１０３は、モールストア移動画面Ｓ２からモール画面Ｓ１に遷移する。
【００５６】
次に、図１３、１４を参照して、モールストア固定画面Ｓ３におけるユーザの操作と画面の変化について説明する。図１３は、モールストア固定画面Ｓ３の一例を示す図である。図１４は、モールストア固定画面Ｓ３におけるユーザ操作について説明するための図である。
モールストア固定画面Ｓ３におけるユーザの操作としては、ユーザ操作Ａｃｔ３１〜Ａｃｔ３８がある。
ユーザ操作Ａｃｔ３１は、モールストア固定画面Ｓ３におけるユーザの左右のドラッグ操作である。このユーザ操作Ａｃｔ３１をタッチパネル１０２が受け付けた場合、操作表示制御部１０３は、ユーザ視点から見えるショッピングモール内の情景を左右に回転させる。ユーザの視点を中心として、ユーザの進行方向から左右方向に予め決められている角度以上、視界を回転する指示が左右ドラッグとして入力された場合、モールストア固定画面Ｓ３からモールストア移動画面Ｓ２に遷移する。
【００５７】
ユーザ操作Ａｃｔ３２は、モールストア固定画面Ｓ３におけるユーザの上下のドラッグ操作あるいは上下のフリック操作である。このユーザ操作Ａｃｔ３２をタッチパネル１０２が受け付けた場合、操作表示制御部１０３は、ユーザ視点を進行方向（通路）に沿って移動させる。つまり、モールストア固定画面Ｓ３に表示されている隣のストアをドラック操作あるいはフリック操作の方向に移動させる。例えば、上方向のドラッグ操作あるいはフリック操作では、進行方向側の隣のストアの正面に移動する。一方、下方向のドラッグ操作あるいはフリック操作では、進行方向と逆側の隣のストアの正面に移動する。なお、ストアを移動する場合、視点を進行方向の正面に戻してから移動先のストアの正面に向くようなカメラアングルでショッピングモール内の情景を変更するものであってもよい。この場合、モールストア固定画面Ｓ３からモール画面Ｓ１に遷移して、さらに、モールストア固定画面Ｓ３に遷移する。
【００５８】
ユーザ操作Ａｃｔ３３は、モールストア固定画面Ｓ３におけるユーザの商品サムネイルのタップ操作である。このユーザ操作Ａｃｔ３３をタッチパネル１０２が受け付けた場合、操作表示制御部１０３は、当該商品の詳細情報を示す商品詳細画面Ｓ５に遷移する。
ユーザ操作Ａｃｔ３４は、モールストア固定画面Ｓ３におけるユーザの商品サムネイルのロングタップ操作である。このユーザ操作Ａｃｔ３４をタッチパネル１０２が受け付けた場合、操作表示制御部１０３は、当該商品をストックエリアに移動可能な状態する。例えば、移動可能となったことを示すため、当該商品のサムネイルを強調表示するものであってもよい。
ユーザ操作Ａｃｔ３５は、モールストア固定画面Ｓ３における移動可能な状態となっている商品サムネイルをユーザがストックエリア内にドラックする操作である。このユーザ操作Ａｃｔ３５をタッチパネル１０２が受け付けた場合、操作表示制御部１０３は、当該商品をストックエリアに移動する。これにより、操作表示制御部１０３は、ストックエリアに移動した商品をストック商品として管理する。
【００５９】
ユーザ操作Ａｃｔ３６は、モールストア固定画面Ｓ３におけるユーザのストア看板画像のタップ操作である。このユーザ操作Ａｃｔ３６をタッチパネル１０２が受け付けた場合、操作表示制御部１０３は、当該ストアの詳細情報を示すストア画面Ｓ４に遷移する。
ユーザ操作Ａｃｔ３７は、モールストア固定画面Ｓ３におけるストアアイコンをユーザがタップする操作である。このユーザ操作Ａｃｔ３７をタッチパネル１０２が受け付けた場合、操作表示制御部１０３は、当該ストアアイコンが示すストアのストア画面Ｓ４に遷移する。このストアアイコンとは、モール画面Ｓ１では表示されていたが、モールストア固定画面Ｓ３に遷移したことにより見えなくなったストアのストア画面Ｓ４への遷移を示すアイコンである。本実施形態において、ストアアイコンは、例えば、ストア２あるいはストア４への遷移を示すアイコンである。
ユーザ操作Ａｃｔ３８は、モールストア固定画面Ｓ３におけるユーザの広告看板画像のタップ操作である。このユーザ操作Ａｃｔ３８をタッチパネル１０２が受け付けた場合、操作表示制御部１０３は、当該広告として掲載されているストアの詳細情報を示すストア画面Ｓ４に遷移する。また、広告として商品が掲載されている場合、当該商品の詳細情報を示す商品詳細画面Ｓ５に遷移する。
【００６０】
次に、図１５、１６を参照して、ストア画面Ｓ４におけるユーザの操作と画面の変化について説明する。図１５は、ストア画面Ｓ４の一例を示す図である。図１６は、ストア画面Ｓ４におけるユーザ操作について説明するための図である。
図１５に示す通り、ストア画像Ｓ４は、上部にストア看板エリア、中部に商品区分エリア、下部にストックエリアを備える。なお、中部の商品区分エリア以外の領域を、商品区分エリア外エリアという。
ストア看板エリアには、ストア看板画像が表示されるとともに、左右には、ストアアイコンが表示される。ストア看板エリアの左側のストアアイコンは、ショッピングモール内において当該ストア画像のストアの左隣のストアに移動することを指示するためのアイコンである。一方、ストア看板エリアの右側のストアアイコンは、ショッピングモール内において当該ストア画像のストアの右隣のストアに移動することを指示するためのアイコンである。本実施形態において、右側のストアアイコンは、例えば、ストア３への遷移を示すアイコンである。
【００６１】
商品区分エリアは、各商品区分を指示するためのタブを備え、指定されている商品区分に含まれる商品画像（例えば、商品サムネイル）を表示する。また、商品区分エリアの右側には、ストアアイコンが表示される。このストアアイコンは、モール画面Ｓ１では表示されていたが、ストア画面Ｓ４に遷移したことにより見えなくなったストアのストア画面Ｓ４への遷移を示すアイコンである。本実施形態において、ストアアイコンは、例えば、ストア２あるいはストア４への遷移を示すアイコンである。
【００６２】
ユーザ操作Ａｃｔ４１は、ストア画面Ｓ４におけるストア看板画像をユーザが左右にドラッグあるいはフリックする操作である。このユーザ操作Ａｃｔ４１をタッチパネル１０２が受け付けた場合、操作表示制御部１０３は、ストア画面Ｓ４に遷移する前のモールストア固定画面Ｓ３において、ユーザ視点を進行方向（通路）に沿って操作方向の隣のストアのストア画面Ｓ４に遷移させる。
ユーザ操作Ａｃｔ４２は、ストア画面Ｓ４における商品区分エリア内をユーザが上下にドラッグあるいは上下にフリックする操作である。このユーザ操作Ａｃｔ４２をタッチパネル１０２が受け付けた場合、操作表示制御部１０３は、商品区分エリアを上下にスクロールさせて、商品区分エリア内に配置された商品画像を上下に移動させる。
ユーザ操作Ａｃｔ４３は、ストア画面Ｓ４における商品区分エリア内をユーザが左右にドラッグあるいはフリックする操作、あるいは、商品区分タブをタップする操作である。このユーザ操作Ａｃｔ４３をタッチパネル１０２が受け付けた場合、操作表示制御部１０３は、商品区分エリアに表示される商品の商品区分を変更する。例えば、商品区分１が指定されている状態で、商品区分エリア内をユーザが左にドラッグあるいはフリックした場合、商品区分１の右隣に商品タブが表示されている商品区分２に切り替わる。操作表示制御部１０３は、商品区分２の商品画像を商品区分エリアに表示する。また、商品区分３の商品タブがタップされた場合、操作表示制御部１０３は、商品区分３の商品画像を商品区分エリアに表示する。
【００６３】
ユーザ操作Ａｃｔ４４は、ストア画面Ｓ４の商品区分エリアにおける商品画像（商品サムネイル）をユーザがタップする操作である。このユーザ操作Ａｃｔ４４をタッチパネル１０２が受け付けた場合、操作表示制御部１０３は、タップされた商品サムネイルの商品の詳細情報を示す商品詳細画面Ｓ５に遷移する。
ユーザ操作Ａｃｔ４５は、ストア画面Ｓ４における商品サムネイルをユーザがロングタップする操作である。このユーザ操作Ａｃｔ４５をタッチパネル１０２が受け付けた場合、操作表示制御部１０３は、ロングタップされた商品サムネイルの商品をストックエリアに移動可能な状態する。例えば、移動可能となったことを示すため、当該商品のサムネイルを強調表示するものであってもよい。
ユーザ操作Ａｃｔ４６は、ストア画面Ｓ４において移動可能な状態となっている商品サムネイルをユーザがストックエリア内にドラッグする操作である。このユーザ操作Ａｃｔ４６をタッチパネル１０２が受け付けた場合、操作表示制御部１０３は、ドラッグされた商品サムネイルの商品をストックエリアに移動する。これにより、操作表示制御部１０３は、ストックエリアに移動した商品をストック商品として管理する。
【００６４】
ユーザ操作Ａｃｔ４７は、ストア画面Ｓ４におけるストアアイコンをユーザがタップする操作である。このユーザ操作Ａｃｔ４７をタッチパネル１０２が受け付けた場合、操作表示制御部１０３は、タップされたストアアイコンのストアの詳細情報を示すストア画面Ｓ４に遷移する。
ユーザ操作Ａｃｔ４８は、ストア画面Ｓ４における出口ボタンをユーザがタップする操作である。このユーザ操作Ａｃｔ４８をタッチパネル１０２が受け付けた場合、操作表示制御部１０３は、モール画面Ｓ１に遷移する。
ユーザ操作Ａｃｔ４９は、ストア画面Ｓ４の商品区分エリア外エリアをユーザがロングタップする操作である。このユーザ操作Ａｃｔ４９をタッチパネル１０２が受け付けた場合、操作表示制御部１０３は、モールストア移動画面Ｓ２に遷移する。
【００６５】
次に、図１７、１８を参照して、商品詳細画面Ｓ５におけるユーザの操作と画面の変化について説明する。図１７は、商品詳細画面Ｓ５の一例を示す図である。図１８は、商品詳細画面Ｓ５におけるユーザ操作について説明するための図である。
図１７に示す商品詳細画面Ｓ５は、モール画面Ｓ１から商品詳細画面Ｓ５に遷移した場合の一例である。この商品詳細画面Ｓ５は、商品サムネイルを拡大した画像を表示する（商品サムネイル拡大エリア）と、当該商品サムネイルの商品の詳細情報を表示する詳細情報エリアとを含む。この詳細情報エリアには、例えば、当該商品を取り扱っているストア名、当該商品の商品名、その他詳細情報、商品の価格等の情報が表示される。
なお、商品詳細画面Ｓ５内の商品詳細情報エリア（商品サムネイル拡大エリアと詳細情報エリア）以外の領域を、商品詳細情報エリア外エリアという。
また、このモール画面Ｓ１から遷移した商品詳細画面Ｓ５は、モール画面Ｓ１の上に、商品サムネイル拡大エリアと詳細情報エリアとを重ねて表示する。この場合、商品情報画像の下層のモール画像は、商品情報画像の表示が見やすいように薄い色で表示される。なお、下層のモール画像は、表示されないものであってもよい。
【００６６】
ユーザ操作Ａｃｔ５１は、商品詳細画面Ｓ５に商品サムネイル拡大エリアおける拡大された商品サムネイルをユーザがロングタップする操作である。このユーザ操作Ａｃｔ５１をタッチパネル１０２が受け付けた場合、操作表示制御部１０３は、ロングタップされた商品サムネイルの商品をストックエリアに移動可能な状態とする。例えば、移動可能となったことを示すため、当該商品のサムネイルを強調表示することができる。
ユーザ操作Ａｃｔ５２は、商品詳細画面Ｓ５における移動可能な状態となっている商品サムネイルをユーザがストックエリア内にドラッグする操作である。このユーザ操作Ａｃｔ５２をタッチパネル１０２が受け付けた場合、操作表示制御部１０３は、ドラッグされた商品サムネイルの商品をストックエリアに移動する。これにより、操作表示制御部１０３は、ストックエリアに移動した商品をストック商品として管理する。
【００６７】
ユーザ操作Ａｃｔ５３は、商品詳細画面Ｓ５の詳細情報エリア内におけるストアアイコンをユーザがタップする操作である。このユーザ操作Ａｃｔ５３をタッチパネル１０２が受け付けた場合、操作表示制御部１０３は、タップされたストアアイコンのストアの詳細情報を示すストア画面Ｓ１に遷移する。なお、ストア画面Ｓ１に遷移する際、商品詳細画面Ｓ５の商品が登録されている商品区分を表示するものであってもよい。
ユーザ操作Ａｃｔ５４は、商品詳細画面Ｓ５における詳細情報エリア内をユーザが上下にドラッグあるいは上下にフリックする操作である。このユーザ操作Ａｃｔ５４をタッチパネル１０２が受け付けた場合、操作表示制御部１０３は、詳細情報エリアを上下にスクロールさせて、詳細情報エリア内に表示されている情報を上下に移動させる。
ユーザ操作Ａｃｔ５５は、商品詳細画面Ｓ５の商品詳細情報エリア外エリアをユーザがロングタップする操作である。このユーザ操作Ａｃｔ５５をタッチパネル１０２が受け付けた場合、操作表示制御部１０３は、前の画面に戻る。上述の例の場合、モール画面Ｓ１に戻る。
【００６８】
次に、図１９、２０を参照して、ストックエリアにおけるユーザの操作と画面の変化について説明する。図１９は、各画面に共通して表示されるストックエリアの一例を示す図である。図２０は、ストックエリアにおけるユーザ操作について説明するための図である。
このストックエリアは、左側にストック商品の商品区分を指定するためのタブを備え、右側に案内板アイコンと購入画面移動アイコンとを備える。この案内板アイコンは、ショッピングモール内のマップに各ストアアイコンを表示する案内板の表示を指示するアイコンである。詳細については後述する。購入画面移動アイコンとは、ストック商品として登録されている商品の決済をするＷｅｂページへ遷移するためのアイコンである。
また、ストックエリアの中央部には、指定された商品区分に含まれるストック商品の商品画像（例えば、商品サムネイル）を表示する。
【００６９】
ストックエリアにおけるユーザの操作としては、ユーザ操作Ａｃｔ６１〜Ａｃｔ６８がある。
ユーザ操作Ａｃｔ６１は、ストックエリアにおいてユーザが左右にドラッグあるいはフリックする操作である。このユーザ操作Ａｃｔ６１をタッチパネル１０２が受け付けた場合、操作表示制御部１０３は、ストック商品区分エリアを左右にスクロールさせて、ストックエリア内に配置された商品画像（商品サムネイル）を左右に移動させる。
ユーザ操作Ａｃｔ６２は、ストックエリア内をユーザが上下にドラッグあるいはフリックする操作、あるいは、ストック区分タブをタップする操作である。このユーザ操作Ａｃｔ６２をタッチパネル１０２が受け付けた場合、操作表示制御部１０３は、ストックエリアに表示されるストック区分を変更する。
例えば、ストック区分１が指定されている状態で、ストックエリア内をユーザが下にドラッグあるいはフリックした場合、ストック区分１の下にストック区分タブが表示されているストック区分２に切り替わる。操作表示制御部１０３は、ストック区分２の商品サムネイルをストックエリアに表示する。また、ストック区分３のストック区分タブがタップされた場合、操作表示制御部１０３は、ストック区分３の商品サムネイルをストックエリアに表示する。
このストック区分とは、指定した商品を示す情報を一時的にストックエリアに保存しておく領域を区別する区分である。例えば、各ストック区分１は、購入を予定している商品を確保する領域として利用し、ストック区分２，３は、それぞれ、お気に入りの商品を保存しておく領域として利用うることができる。これにより、ユーザは、ストック区分を任意に切り換えて、各ストック区分の領域を使い分けることができる。
なお、ストック区分の数は３つ以上もよく、各ストック区分の領域を、履歴や検索に割り当て、機能拡張を実現すること可能である。
【００７０】
ユーザ操作Ａｃｔ６３は、ストックエリアにおける商品サムネイルをユーザがタップする操作である。このユーザ操作Ａｃｔ６３をタッチパネル１０２が受け付けた場合、操作表示制御部１０３は、タップされた商品サムネイルの商品の詳細情報を示す商品詳細画面Ｓ５に遷移する。
ユーザ操作Ａｃｔ６４は、ストックエリアにおける商品サムネイルをユーザがロングタップする操作である。このユーザ操作Ａｃｔ６４をタッチパネル１０２が受け付けた場合、操作表示制御部１０３は、ロングタップされた商品サムネイルの商品をストックエリア外のエリアに移動可能な状態する。例えば、移動可能となったことを示すため、当該商品のサムネイルを強調表示するものであってもよい。
ユーザ操作Ａｃｔ６５は、ストックエリアにおいて移動可能な状態となっている商品サムネイルをユーザがストックエリア外にドラッグする操作である。このユーザ操作Ａｃｔ６５をタッチパネル１０２が受け付けた場合、操作表示制御部１０３は、ドラッグされた商品サムネイルの商品をストックエリアから削除し、ストック商品としての登録を解除する。
【００７１】
ユーザ操作Ａｃｔ６６は、ストックエリアにおいて移動可能な状態となっている商品サムネイルをユーザが他のスタック区分のストックエリア内にドラッグする操作である。このユーザ操作Ａｃｔ６６をタッチパネル１０２が受け付けた場合、操作表示制御部１０３は、ドラッグされた商品サムネイルの商品を現在のストックエリアから指定されたストックエリアに移動する。
ユーザ操作Ａｃｔ６７は、ストックエリアにおける案内板アイコンをユーザがタップする操作である。このユーザ操作Ａｃｔ６７をタッチパネル１０２が受け付けた場合、操作表示制御部１０３は、案内板を表示する。詳細については、後述する。
ユーザ操作Ａｃｔ６８は、ストックエリアにおける購入画面アイコンをユーザがタップする操作である。このユーザ操作Ａｃｔ６８をタッチパネル１０２が受け付けた場合、操作表示制御部１０３は、決済のためのＷｅｂページに遷移する。
【００７２】
次に、図２１、２２を参照して、案内板表示エリアにおけるユーザの操作と画面の変化について説明する。図２１は、案内板表示エリアの一例を示す図である。図２２は、案内板表示エリアにおけるユーザ操作について説明するための図である。
図２１に示す案内板表示エリアは、ユーザ操作Ａｃｔ６６のよりストックエリアの案内板アイコンがタップされた場合に、ストックエリア以外の領域に表示される。このストックエリアは、モール画面Ｓ１、モールストア移動画面Ｓ２、モールストア固定画面Ｓ３、ストア画面Ｓ４等の上に重ねて表示される。
この案内板表示エリアには、ショッピングモール内のマップに応じて配置される各ストアアイコンを含む案内板を表示する。図示において、ショッピングモール内のマップは、ショッピングモール内の一部であって、通路に沿って左右に複数のストアが立ち並ぶエリアを示す。ユーザの視点は、ユーザーアイコンが示す位置にあり、当該ユーザーの現在位置を示すとともに、矢印で進行方向を示す。
【００７３】
案内板表示エリアにおけるユーザの操作としては、ユーザ操作Ａｃｔ７１〜Ａｃｔ７３がある。
ユーザ操作Ａｃｔ７１は、案内板表示エリアにおいてユーザが上下にドラッグあるいは上下にフリックする操作である。このユーザ操作Ａｃｔ７１をタッチパネル１０２が受け付けた場合、操作表示制御部１０３は、案内板表示エリアを上下にスクロールさせて、案内板表示エリア内に配置されたストアアイコンを上下に移動させる。
【００７４】
ユーザ操作Ａｃｔ７２は、案内板表示エリアにおいてユーザがピンチイン／アウトする操作である。このユーザ操作Ａｃｔ７２をタッチパネル１０２が受け付けた場合、操作表示制御部１０３は、案内板表示エリアに表示されている画像を拡大あるいは縮小する。なお、ユーザ操作Ａｃｔ７２は、ピンチイン／アウトに限られず、ダブルタップであってもよく、拡大／縮小アイコンが設けられている場合は、当該アイコンをタップするものであってもよい。
ユーザ操作Ａｃｔ７３は、案内板表示エリアにおけるストアアイコンをユーザがタップする操作である。このユーザ操作Ａｃｔ７３をタッチパネル１０２が受け付けた場合、操作表示制御部１０３は、タップされたストアアイコンのストアの詳細情報を示すストア画面に遷移する。
【００７５】
上述の通り、ユーザの移動時に、各ストアの店頭に取扱商品の画像を表示する。また、ユーザの視点が変化して、特定のストアの方を見ている場合は、このストアの店頭に表示される取扱商品の数を増やす。これにより、実空間のショッピングモールにおけるウインドウショッピングに近い感覚で、仮想空間上のショッピングモールを回ることができる。これにより、ユーザの操作性が向上し、ストアへの顧客誘引につながる。また、モール画面Ｓ１とモールストア移動画面Ｓ２とを行き来しながらモール内を移動することによって、ユーザ新しい商品を発見させ、購買意欲の向上にもつなげることができる。
【００７６】
また、上述の仮想空間画像表示システムは、「どんな店舗が並んでいるのか？」、あるいは「各店舗が何を取り扱っているのか？」の一覧性を高めることができる。よって、
ユーザに効率よくサービスを提供することができる。さらに、「商品の探しやすさ」と、「新しい商品と出会う可能性」を高めることができる。よって、そのための操作性を向上させることができる。
さらに、タブレット端末上でのＷｅｂブラウザは操作性が低く、ショッピングの楽しさを感じられない問題があった。また、ショップアプリの場合は操作性の向上は見込めるが各店舗を横断するような一覧性が不足している。
これに対して、本願実施形態に係る仮想空間表示システム１は、複数のショッピングモール内の店舗を同時に表示するとともに、各店舗の店頭に配置された商品サムネイルを表示することができる。また、各店舗内の複数の商品の閲覧／選択ができ、ユーザーがその店舗のサービスを受けることが出来る。
また、ドラッグやフリックなどの直観的な操作により「ストア間の移動」と「モール⇔ストアの切り替え」を行ことができる。また、表示されなくなったストアへの移動は、当該ストアへの移動を指示するアイコンとして画面内に表示することで実現している。
【００７７】
［プログラムおよび記録媒体］
最後に、仮想空間表示システム１の表示端末１００とサーバ３００に含まれている各部は、ハードウェアロジックによって構成すれば良い。または、次のように、ＣＰＵを用いてソフトウェアによって実現しても良い。
すなわち、表示端末１００とサーバ３００は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
この記録媒体は、上述した機能を実現するソフトウェアである表示端末１００とサーバ３００のプログラムのプログラムコード（実行形式プログラム，中間コードプログラム，ソースプログラム）をコンピュータで読み取り可能に記録していれば良い。表示端末１００とサーバ３００に、この記録媒体を供給する。これにより、コンピュータ（またはＣＰＵやＭＰＵ）が、供給された記録媒体に記録されているプログラムコードを読み出し、実行すれば良い。
【００７８】
プログラムコードを表示端末１００とサーバ３００に供給する記録媒体は、特定の構造または種類のものに限定されない。すなわちこの記録媒体は、例えば、磁気テープまたはカセットテープ等のテープ系、フロッピー（登録商標）ディスク／ハードディスク等の磁気ディスク、またはＣＤ−ＲＯＭ／ＭＯ／ＭＤ／ＤＶＤ／ＢＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
また、表示端末１００とサーバ３００を通信ネットワークと接続可能に構成しても、本発明の目的を達成できる。この場合、上記のプログラムコードを、通信ネットワークを介して表示端末１００とサーバ３００に供給する。この通信ネットワークは、表示端末１００とサーバ３００にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【００７９】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【符号の説明】
【００８０】
１・・・仮想空間表示システム、１００・・・表示端末、３００・・・サーバ、１０１・・・端末通信部、１０２・・・タッチパネル、１０３・・・操作表示制御部、１０４・・・端末記憶部、１２１・・・表示部、１２２・・・入力部、１３０・・・画面遷移管理部、１３１・・・仮想空間表示制御部、１３２・・・仮想空間内商品管理部、１３３・・・ストア情報表示制御部、１３４・・・商品情報表示制御部、１３５・・・ストック商品管理部、３００・・・サーバ、３０１・・・サーバ通信部、３０２・・・サーバ制御部、３０３・・・サーバ記憶部
【図１】
2012234355.tif 000003
【図２】
2012234355.tif 000004
【図３】
2012234355.tif 000005
【図４】
2012234355.tif 000006
【図５】
2012234355.tif 000007
【図６】
2012234355.tif 000008
【図７】
2012234355.tif 000009
【図８】
2012234355.tif 000010
【図９】
2012234355.tif 000011
【図１０】
2012234355.tif 000012
【図１１】
2012234355.tif 000013
【図１２】
2012234355.tif 000014
【図１３】
2012234355.tif 000015
【図１４】
2012234355.tif 000016
【図１５】
2012234355.tif 000017
【図１６】
2012234355.tif 000018
【図１７】
2012234355.tif 000019
【図１８】
2012234355.tif 000020
【図１９】
2012234355.tif 000021
【図２０】
2012234355.tif 000022
【図２１】
2012234355.tif 000023
【図２２】
2012234355.tif 000024